【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
外周面に雄ネジが形成された注入口を持つ容器本体と；
注入口の内側に挿入され、上端は開放され、下端には排出口が形成された円筒状収容部を持つ貯蔵容器と；
前記収容部の開放端に面接触する端部プレートと、端部プレートの外周縁から軸方向に伸び、注入口に螺合される雌ネジが形成されたメインキャップと、端部プレートの内周縁から軸方向に伸び、前記貯蔵部の内側に軸方向移動可能に挿入され、排出口を選択的に開閉するスライダーが一体的に形成された蓋部材と；
を含んでなる容器。
【請求項２】
前記収容部の開放端には、収容部から半径方向外側に拡張される外側突条を持つフランジが一体的に形成され、収容部の外周面には、フランジから所定距離に前記注入口の雄ネジと同一ピッチの雄ネジが形成され、メインキャップの雌ネジ形成区間の内側には、収容部の雄ネジに螺合され、外側突条にかかる外側係合突条が半径方向内側に突設され、蓋部材の回転時、外側係合突条が外側突条にかかって貯蔵容器を注入口から分離させることを特徴とする、請求項１に記載の容器。
【請求項３】
前記収容部の雄ネジのフランジに隣接した谷部には、円周上に内部ラチェットが形成され、外側係合突条の端部には、内部ラチェットに対していずれか一方向への回転のみを許容する外側ラチェットが形成されることを特徴とする、請求項２に記載の容器。
【請求項４】
前記フランジは、半径方向内側に拡張される内側突条を持つフランジをさらに含み、スライダーの外周面のうち、外側係合突条と対応する位置には、内側突条にかかる内側係合突条が半径方向外側に突設され、蓋部材の回転時、内側係合突条が内側突条にかかって、貯蔵容器を注入口から分離させることを特徴とする、請求項３に記載の容器。
【請求項５】
前記端部プレートの外側には、スライダーの上部を閉鎖する上部キャップが一体的に形成されることを特徴とする、請求項４に記載の容器。
【請求項６】
前記端部プレートには、フランジによって開閉される少なくとも一つの連通孔が形成されることを特徴とする、請求項５に記載の容器。
【請求項７】
前記収容部の外周面には、注入口の内側面に接して気密を維持する複数のシール突条が一体的に形成されることを特徴とする、請求項１〜６のいずれか一項に記載の容器。
【請求項８】
貯蔵容器の底面は、中央に行くほど徐々に上方に膨らむように構成されることを特徴とする、請求項７に記載の容器。
【請求項９】
貯蔵容器の底面のうち、スライダーの端部と接する部分にはシール部材が挿入されることを特徴とする、請求項８に記載の容器。
【請求項１０】
前記端部プレートの外周縁には軸方向に延長部が形成され、この延長部に選択的に結合される上部キャップが備えられることを特徴とする、請求項４に記載の容器。
【請求項１１】
前記貯蔵容器の底面から上向きに突出して収容部を二分する隔壁が一体的に形成され、上部キャップには、前記隔壁の上端が挿入される挿入溝が形成されることを特徴とする、請求項１０に記載の容器。
【請求項１２】
前記上部キャップは連結帯によってメインキャップに一体的に固定されることを特徴とする、請求項１０又は１１に記載の容器。
【請求項１３】
前記延長部には、注入口の雄ネジと同一の雄ネジが形成され、雄ネジに螺合する雌ネジを持つスポーツキャップが延長部に螺合されることを特徴とする、請求項１０に記載の容器。
【請求項１４】
外周面に雄ネジが形成された注入口を持つ容器本体と；
注入口の内側に挿入され、上端は開放され、下端には切取線によって区分される破裂部が形成された円筒状収容部を持つ貯蔵容器と；
前記収容部の開放端に面接触する端部プレートと、端部プレートの外周縁から軸方向に伸び、注入口に螺合される雌ネジが形成されたメインキャップと、端部プレートの内周縁から軸方向に伸び、前記収容部の内側に軸方向移動可能に挿入され、端部に前記破断線を切開する刃部を持つスライダーとが一体的に形成された蓋部材と；
を含んでなる容器。
【請求項１５】
前記収容部の開放端には、収容部から半径方向外側に拡張される外側突条を持つフランジが一体的に形成され、収容部の外周面には、フランジから所定距離に前記注入口の雄ネジと同一ピッチの雄ネジが形成され、メインキャップの雌ネジ形成区間の内側には、収容部の雄ネジに螺合され、外側突条にかかる外側係合突条が半径方向内側に突設され、蓋部材の回転時、外側係合突条が外側突条にかかって貯蔵容器を注入口から分離させることを特徴とする、請求項１４に記載の容器。
【請求項１６】
前記フランジは半径方向内側に拡張される内側突条をさらに含み、スライダーの外周面のうち、外側係合突条と対応する位置には、内側突条にかかる内側係合突条が半径方向外側に突設され、蓋部材の回転時、内側係合突条が内側突条にかかって貯蔵容器を注入口から分離させることを特徴とする、請求項１５に記載の容器。
【請求項１７】
前記端部プレートには、フランジによって開閉される少なくとも一つの連通孔が形成されることを特徴とする、請求項１６に記載の容器。
【請求項１８】
前記端部プレートの外周縁には軸方向に延長部が形成され、この延長部に選択的に結合される上部キャップが備えられることを特徴とする、請求項１６に記載の容器。
【請求項１９】
前記上部キャップは連結帯によってメインキャップに一体的に固定されることを特徴とする、請求項１８に記載の容器。
【請求項２０】
前記上部キャップには、内側面に所定間隔を持つシール突条が突設され、延長部には、前記シール突条間に挿入されるシール突条が一体的に形成されることを特徴とする、請求項１９に記載の容器。
【請求項２１】
前記延長部には、注入口の雄ネジと同一の雄ネジが形成され、雄ネジに螺合する雌ネジを持つスポーツキャップが延長部に螺合されることを特徴とする、請求項１６に記載の容器。
【請求項２２】
外周面に雄ネジが形成された注入口を持つ容器本体と；
前記注入口の開放端に面接触する端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入され、端部に破裂部が一体的に形成された内部キャップとが一体的に形成される貯蔵容器と；
前記内部キャップの上部に配置される仕上げプレートと、仕上げプレートの外周縁から軸方向に伸び、メインキャップの外周面に螺合される雌ネジが形成された上部キャップと、端部プレートの内周縁から軸方向に伸びて前記収容部の内側に軸方向移動可能に挿入され、前記破裂部を切開する破裂具が端部に一体的に形成されたスライダーとからなる蓋部材と；
貯蔵容器の下部に切取可能に形成され、蓋部材の下降を制限する固定バンドと；
を含んでなる容器。
【請求項２３】
破裂部は、周縁部が比較的薄く形成されることにより、ホルダーによって内部キャップに堅く連結されることを特徴とする、請求項２２に記載の容器。
【請求項２４】
前記スライダーの内部には、長手方向全長にわたって半径方向内側に突出する撹拌突条が形成されることを特徴とする、請求項２３に記載の容器。
【請求項２５】
前記スライダーの内部には、半径方向に突出する少なくとも一つの撹拌棒が一体的に形成されることを特徴とする、請求項２２〜２４のいずれか一項に記載の容器。
【請求項２６】
外周面に雄ネジが形成された注入口を持つ容器本体と；
前記注入口の開放端部に面接触する端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入され、端部に排出口及び係合突条が形成される内部キャップとが一体的に形成された貯蔵容器と；
前記内部キャップの上部に配置される仕上げプレートと、仕上げプレートの外周縁から軸方向に伸び、メインキャップの外周面に螺合される雌ネジが形成された上部キャップと、端部プレートの内周縁から軸方向に伸びて前記収容部の内側に軸方向移動可能に挿入され、端部で栓によって密閉されるスライダーとが一体的に形成された蓋部材と；
を含んでなる容器。
【請求項２７】
前記栓は、下端に係合突条にかかるフックが一体的に形成されることにより、係合突条の進入は許容するが離脱は制限することを特徴とする、請求項２６に記載の容器。
【請求項２８】
前記栓は、スライダーの下端に形成されたシール溝に結合されるシール突条を含んで、スライダーに対して分離可能に構成されることを特徴とする、請求項２７に記載の容器。
【請求項２９】
前記栓はスライダーの下端に一体的に形成され、栓とスライダーとの間には比較的薄く形成される切取線が形成されることを特徴とする、請求項２８に記載の容器。
【請求項３０】
前記切取線は斜めに形成されることを特徴とする、請求項２９に記載の容器。
【請求項３１】
前記栓の上部外周面には、スライダーの内壁から突出する固定突条にかかる固定溝が形成され、スライダーに対して分離可能に形成されることを特徴とする、請求項２９に記載の容器。
【請求項３２】
前記栓とスライダーとの間にはシールリングが介在されることを特徴とする、請求項５５に記載の容器。
【請求項３３】
前記スライダーと内部キャップには、互いに対して軸方向に移動する時、気密維持及び干渉音発生のための干渉突条がそれぞれ形成されることを特徴とする、請求項３２に記載の容器。
【請求項３４】
前記仕上げプレートには、干渉突条の作動音を外部に発散させる音発生部が形成されることを特徴とする、請求項３３に記載の容器。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】変更
【補正の内容】
【００２６】
前記目的を達成するため、本発明は、外周面に雄ネジが形成された注入口を持つ容器本体と；注入口の内側に挿入され、上端は開放され、下端には排出口が形成された円筒状収容部を持つ貯蔵容器と；前記収容部の開放端に面接触する端部プレートと、端部プレートの外周縁から軸方向に伸び、注入口に螺合される雌ネジが形成されたメインキャップと、端部プレートの内周縁から軸方向に伸び、前記貯蔵部の内側に軸方向移動可能に挿入され、排出口を選択的に開閉するスライダーが一体的に形成された蓋部材と；を含んでなる容器を提供する。
【手続補正２１】
【補正対象書類名】明細書
【補正対象項目名】００４７
【補正方法】削除
【補正の内容】
【手続補正２２】
【補正対象書類名】明細書
【補正対象項目名】００４８
【補正方法】削除
【補正の内容】
【手続補正２３】
【補正対象書類名】明細書
【補正対象項目名】００４９
【補正方法】削除
【補正の内容】
【手続補正２４】
【補正対象書類名】明細書
【補正対象項目名】００５０
【補正方法】削除
【補正の内容】
【手続補正２５】
【補正対象書類名】明細書
【補正対象項目名】００５１
【補正方法】削除
【補正の内容】
【手続補正２６】
【補正対象書類名】明細書
【補正対象項目名】００５２
【補正方法】削除
【補正の内容】
【手続補正２７】
【補正対象書類名】明細書
【補正対象項目名】００６６
【補正方法】削除
【補正の内容】
【手続補正２８】
【補正対象書類名】明細書
【補正対象項目名】００６７
【補正方法】削除
【補正の内容】
【手続補正２９】
【補正対象書類名】明細書
【補正対象項目名】００６８
【補正方法】削除
【補正の内容】
【手続補正３０】
【補正対象書類名】明細書
【補正対象項目名】００６９
【補正方法】削除
【補正の内容】
【手続補正３１】
【補正対象書類名】明細書
【補正対象項目名】００７０
【補正方法】削除
【補正の内容】
【手続補正３２】
【補正対象書類名】明細書
【補正対象項目名】００７１
【補正方法】削除
【補正の内容】
【手続補正３３】
【補正対象書類名】明細書
【補正対象項目名】００７２
【補正方法】削除
【補正の内容】
【手続補正３４】
【補正対象書類名】明細書
【補正対象項目名】００７３
【補正方法】削除
【補正の内容】
【手続補正３５】
【補正対象書類名】明細書
【補正対象項目名】００７４
【補正方法】削除
【補正の内容】
【手続補正３６】
【補正対象書類名】明細書
【補正対象項目名】００７５
【補正方法】削除
【補正の内容】
【手続補正３７】
【補正対象書類名】明細書
【補正対象項目名】００７６
【補正方法】削除
【補正の内容】